(57)【要約】【課題】入浴者が安心して使用できる入浴補助具を提供する。【解決手段】入浴補助具は、浴槽２の内側壁に押し付けられる押付部１４３を含む一対の突っ張り部材１４ａ、１４ｂと、押付部１４３を浴槽２の内側壁に押し付ける力を調整可能に設けられる調整部と、前記調整部の動きに連動して一対の突っ張り部材１４ａ、１４ｂの突っ張り方向とは異なる方向に移動することによって浴槽２に吸着する吸着部材１７と、を備える。【選択図】図３
2016087189.tif 000002
【特許請求の範囲】
【請求項１】
浴槽の内側壁に押し付けられる押付部を含む一対の突っ張り部材と、
前記押付部を前記浴槽の内側壁に押し付ける力を調整可能に設けられる調整部と、
前記調整部の動きに連動して前記一対の突っ張り部材の突っ張り方向とは異なる方向に移動することによって前記浴槽に吸着する吸着部材と、
を備えることを特徴とする入浴補助具。
【請求項２】
前記吸着部材は、前記浴槽の縁上面に吸着することを特徴とする請求項１に記載の入浴補助具。
【請求項３】
前記調整部は、
前記一対の突っ張り部材の少なくとも一方を押圧する可動部材と、
前記突っ張り部材と前記可動部材との間に介在する弾性部材と、
前記可動部材を移動させるネジ機構と、
を含むことを特徴とする請求項１又は２に記載の入浴補助具。
【請求項４】
前記可動部材には、前記押付部が当該可動部材の移動によって前記浴槽の内側壁に押し付けられた後、当該可動部材を更に移動させた場合に、前記吸着部材を前記浴槽に一時的に押し付ける構造が含まれていることを特徴とする請求項３に記載の入浴補助具。
【請求項５】
前記可動部材には、前記吸着部材を前記浴槽に押し付けた後に当該可動部材を更に移動させた場合に、前記吸着部材を引っ張る構造が含まれていることを特徴とする請求項４に記載の入浴補助具。
【請求項６】
前記可動部材には、前記構造として、前記吸着部材に含まれる突起部と係合する溝部が形成されていることを特徴とする請求項４又は５に記載の入浴補助具。
【請求項７】
前記一対の突っ張り部材の少なくとも一方を押圧する可動部材と、
前記突っ張り部材と前記可動部材とを覆うカバー部材と、を備えることを特徴とする請求項１から６のいずれか１項に記載の入浴補助具。
【請求項８】
前記カバー部材には、前記調整部によって前記押付部が前記浴槽の内側壁に押し付けられる力の大きさを判断可能とする窓部が形成されていることを特徴とする請求項７に記載の入浴補助具。
【請求項９】
前記カバー部材に取り付けられる手すりを備えることを特徴とする請求項７又は８に記載の入浴補助具。
【請求項１０】
前記カバー部材に取り付けられるボード部材を備えることを特徴とする請求項７又は８に記載の入浴補助具。
【請求項１１】
前記ボード部材に取り付けられる手すりを備えることを特徴とする請求項１０に記載の入浴補助具。
【発明の詳細な説明】
【技術分野】
【０００１】
本発明は入浴補助具に関し、特に体が不自由な人が使用するのに好適な入浴補助具に関する。
【背景技術】
【０００２】
従来、例えば高齢者や身体障害者等の体が不自由な者が入浴しやすいように、浴槽に入浴補助具が取り付けられることがある。従来の入浴補助具は、例えば入浴者が腰をかけるボード等の入浴を補助する機能を発揮する入浴補助部と、該入浴補助部を浴槽に固定する機構と、を備えている。
【０００３】
例えば特許文献１には、浴槽の内側壁を突っ張る力と、当該突っ張る力を浴槽に伝達し且つ浴槽内側壁に吸着する機能を備えた吸着盤の吸着力とを利用して入浴補助機能部を浴槽に固定する構成が開示されている。特許文献１の構成によれば、吸着力が失われた場合でも突っ張り力によって入浴補助具が浴槽から外れることを抑制でき、突っ張り力が失われた場合にも吸着力によって入浴補助具が浴槽から急激に外れることを抑制できる。
【先行技術文献】
【特許文献】
【０００４】
【特許文献１】特開２００２−１１３０６７号公報
【発明の概要】
【発明が解決しようとする課題】
【０００５】
例えば、ボードに臀部を載せた入浴者が、臀部を前方にずらしながら浴槽内の湯に浸かろうとすると、ボードの後方側が浮き上ろうとする。特許文献１の入浴補助具では、突っ張り力も吸着力も浴槽の同じ内側壁に作用する構成になっている。このような構成の場合、突っ張り力と吸着力との２つの力で入浴補助機能部を固定しているものの、前述の浮き上ろうとする力に対して、固定が不十分になる可能性がある。ボードが浮き上ると、入浴者が転倒する可能性がある。このために、ボードができる限り浮き上らない構成が望まれる。
【０００６】
また、特許文献１の構成では、レバーを用いて手動で吸着盤に吸着力を発揮させる必要があり、その操作が負担に感じられることが懸念される。
【０００７】
以上の点に鑑みて、本発明の目的は、入浴者が安心して使用できる入浴補助具を提供することである。また、本発明の他の目的は、入浴を補助する機能を発揮する部分が浴槽から浮き上り難い入浴補助具を提供することである。更に、本発明の他の目的は、入浴者が安心して使用できると共に、操作負担が少ない入浴補助具を提供することである。
【課題を解決するための手段】
【０００８】
上記目的を達成するために本発明の入浴補助具は、浴槽の内側壁に押し付けられる押付部を含む一対の突っ張り部材と、前記押付部を前記浴槽の内側壁に押し付ける力を調整可能に設けられる調整部と、前記調整部の動きに連動して前記一対の突っ張り部材の突っ張り方向とは異なる方向に移動することによって前記浴槽に吸着する吸着部材と、を備える構成（第１の構成）になっている。
【０００９】
本構成によれば、互いに対向する浴槽の内側壁に押付部を押し付けて、入浴補助具を突っ張り力によって浴槽に固定できる。また、本構成によれば、浴槽に吸着する吸着部材によっても入浴補助具を浴槽に固定することができる。このために、入浴補助具を浴槽にしっかり固定できる。特に、吸着部材が一対の突っ張り部材の突っ張り方向とは異なる方向に移動することによって浴槽に吸着して入浴補助具を固定する構造を有するために、入浴補助具が浴槽から浮き上ろうとする力を適切に抑制できる。また、本構成によれば、吸着部材の吸着が調整部の動きと連動して達成されるために、少ない操作負担で確実な固定を実現できる。
【００１０】
上記第１の構成の入浴補助具において、前記吸着部材は、前記浴槽の縁上面に吸着する構成（第２の構成）であるのが好ましい。なお、前記一対の突っ張り部材は、前記浴槽の縁上面に配置されるのが好ましい。また、前記吸着部材の吸着によって、前記突っ張り部材が前記浴槽の縁上面に固定されるのが好ましい。
【００１１】
上記第１又は第２の構成の入浴補助具において、前記調整部は、前記一対の突っ張り部材の少なくとも一方を押圧する可動部材と、前記突っ張り部材と前記可動部材との間に介在する弾性部材と、前記可動部材を移動させるネジ機構と、を含む構成（第３の構成）であってよい。本構成によれば、突っ張り部材の押付部を浴槽の側壁に当接させて突っ張り力を得る構造を小型且つ低コストで実現し易い。
【００１２】
上記第３の構成の入浴補助具において、前記可動部材には、前記押付部が当該可動部材の移動によって前記浴槽の内側壁に押し付けられた後、当該可動部材を更に移動させた場合に、前記吸着部材を前記浴槽に一時的に押し付ける構造が含まれている構成（第４の構成）が採用されてよい。本構成によれば、突っ張り力を調整する調整部の動きに連動させて、例えば吸盤で構成される吸着部材を浴槽に吸着させる構造を実現し易い。
【００１３】
上記第４の構成の入浴補助具において、前記可動部材には、前記吸着部材を前記浴槽に押し付けた後に当該可動部材を更に移動させた場合に、前記吸着部材を引っ張る構造が含まれている構成（第５の構成）が採用されるのが好ましい。本構成によれば、吸盤で構成される吸着部材と浴槽との間に気圧の低い空間を得て、吸着部材の吸着を確実なものとし易い。
【００１４】
上記第４又は第５の構成の入浴補助具において、前記可動部材には、前記構造として、前記吸着部材に含まれる突起部と係合する溝部が形成されている構成（第６の構成）が採用されてよい。
【００１５】
上記第１から第６のいずれかの構成の入浴補助具は、前記一対の突っ張り部材の少なくとも一方を押圧する可動部材と、前記突っ張り部材と前記可動部材とを覆うカバー部材と、を備える構成（第７の構成）であるのが好ましい。本構成によれば、入浴補助具の機構部を隠して安全なものにでき、更に、デザイン的にもすっきりしたものにできる。
【００１６】
上記第７の構成の入浴補助具において、前記カバー部材には、前記調整部によって前記押付部が前記浴槽の内側壁に押し付けられる力の大きさを判断可能とする窓部が形成されている構成（第８の構成）が採用されるのが好ましい。本構成によれば、適切な突っ張り力と、吸着部材の確実な吸着を得易い。
【００１７】
上記第７又は第８の構成の入浴補助具は、前記カバー部材に取り付けられる手すりを備える構成（第９の構成）であるのが好ましい。本構成によれば、入浴補助部として機能する手すりを備えるために、入浴者が浴槽内に出入りする動作の補助を行い易い。
【００１８】
上記第７又は第８の構成の入浴補助具は、前記カバー部材に取り付けられるボード部材を備える構成（第１０の構成）であるのが好ましい。本構成によれば、例えば、入浴者は一旦ボード部材（入浴補助部として機能する）に座ってから浴槽内に入るといった動作ができて便利である。
【００１９】
上記第１０の構成の入浴補助具は、前記ボード部材に取り付けられる手すりを備える構成（第１１の構成）であるのが好ましい。本構成によれば、入浴者が浴槽内に出入りする動作の補助を行い易い。
【発明の効果】
【００２０】
本発明によれば、入浴者が安心して使用できる入浴補助具を提供できる。また、本発明によれば、入浴を補助する機能を発揮する部分が浴槽から浮き上り難い入浴補助具を提供できる。また、本発明によれば、入浴者が安心して使用できると共に、操作負担が少ない入浴補助具を提供できる。
【図面の簡単な説明】
【００２１】
【図１】本発明の実施形態に係る入浴補助具の構成を示す概略上面図
【図２】本発明の実施形態に係る入浴補助具の構成を示す概略側面図
【図３】図１に示す入浴補助具のカバー部材を取り除いた場合の概略図
【図４】図２に示す入浴補助具のカバー部材を取り除いた場合の概略図
【図５】本発明の入浴補助具が備える第１の中間ブロックの概略上面図
【図６】本発明の入浴補助具が備える第１の中間ブロックの概略側面図
【図７】本発明の入浴補助具が備える第１の中間ブロックの概略正面図
【図８】本発明の実施形態に係る入浴補助具が備える吸盤の構成を示す概略上面図
【図９】本発明の実施形態に係る入浴補助具が備える吸盤の構成を示す概略側面図
【図１０】本発明の実施形態に係る入浴補助具が備える吸盤の動作を説明するための模式図
【図１１】本発明の実施形態に係る入浴補助具の使用例について説明するための概略斜視図
【図１２】本発明の実施形態に係る入浴補助具への手すりの取り付け例について説明するための概略図
【図１３】本発明の実施形態に係る入浴補助具の他の使用例について説明するための概略斜視図
【図１４】図１３に示す他の使用例の変形例を説明するための概略斜視図
【発明を実施するための形態】
【００２２】
以下、本発明の実施形態に係る入浴補助具について、図面を参照しながら詳細に説明する。
【００２３】
図１は、本発明の実施形態に係る入浴補助具１の構成を示す概略上面図である。また、図２は、本発明の実施形態に係る入浴補助具１の構成を示す概略側面図である。なお、図１及び図２においては、入浴補助具１が浴槽２の縁上面２ａに載せられた状態が示されている。詳細には、入浴補助具１は、浴槽１の長手方向の一端部側に配置されている。
【００２４】
図１及び図２に示すように、入浴補助具１は、当該補助具の機構部を隠すように配置される一対のカバー部材１１ａ、１１ｂを備える。一対のカバー部材１１ａ、１１ｂは、対称的に配置されており、上から見た場合に全体として略Ｕ字を形成している。一対のカバー部材１１ａ、１１ｂは、特に限定されるものではないが、例えば樹脂を用いて形成できる。なお、一対のカバー部材１１ａ、１１ｂの各上面には、上面視略矩形状の窓部１１１が形成されているが、これについての詳細は後述する。
【００２５】
図３は、図１に示す入浴補助具１のカバー部材１１ａ、１１ｂを取り除いた場合の概略図である。図４は、図２に示す入浴補助具１のカバー部材１１ａ、１１ｂを取り除いた場合の概略図である。図３及び図４に示すように、入浴補助具１には、調整パイプ１２及びガイドパイプ１３を挟んで対称配置される、一対の突っ張りブロック１４ａ、１４ｂ及び一対の中間ブロック１５ａ、１５ｂが含まれている。第１の突っ張りブロック１４ａには第１のカバー部材１１ａが固定され、第２の突っ張りブロック１４ｂには第２のカバー部材１１ｂが固定される。
【００２６】
なお、一対の突っ張りブロック１４ａ、１４ｂは、本発明の一対の突っ張り部材の一例である。また、中間ブロック１５ａ、１５ｂは、本発明の可動部材の一例である。また、調整パイプ１２及びガイドパイプ１３は、特に限定されるものではないが、例えば金属を用いて形成できる。また、突っ張りブロック１４ａ、１４ｂ及び中間ブロック１５ａ、１５ｂは、特に限定されるものではないが、例えば樹脂を用いて形成できる。
【００２７】
互いに対称配置される一対の突っ張りブロック１４ａ、１４ｂは、いずれも、鉤型の本体部１４１を備えている。本体部１４１には、その上面に設けられる突片１４２と、本体部１４１の下面から下方に向けて突出する押付プレート１４３と、本体部１４１の一端面から突出する２つの突出バー１４４、１４５と、が形成されている。
【００２８】
上面視略矩形状に設けられる突片１４２は、調整パイプ１２及びガイドパイプ１３が設けられる方向に本体部１４１から延び出している。略円柱状に設けられる２つの突出バー１４４、１４５は、いずれも、突片１４２と同様に、調整パイプ１２及びガイドパイプ１３が設けられる方向に突出している。第１の突出バー１４４は、第２の突出バー１４５に比べて長く設けられている。なお、押付プレート１４３は、本発明の押付部の一例である。
【００２９】
図５は、本発明の入浴補助具１が備える第１の中間ブロック１５ａの概略上面図である。図６は、本発明の入浴補助具１が備える第１の中間ブロック１５ａの概略側面図である。図７は、本発明の入浴補助具１が備える第１の中間ブロック１５ａの概略正面図である。図３及び図４に加えて、図５及び図６も参照しながら、中間ブロック１５ａ、１５ｂの構成について説明する。
【００３０】
互いに対称配置される一対の中間ブロック１５ａ、１５ｂは、いずれも、直方体形状の本体部１５１を備えている。本体部１５１の、調整パイプ１２及びガイドパイプ１３と対向する一の側面からは、表面にネジ山が形成されたネジ付バー１５２が突出している。本体部１５１の、ネジ付バー１５２が設けられる側面と対向する側面には、一対の円筒バー１５３ａ、１５３ｂと、一対の円筒バー１５３ａ、１５３ｂに挟まれるように配置される正面視略逆Ｕ字状の突出部１５４と、が形成されている。突出部１５４の上面には、上面視略矩形状の開口１５４ａが形成されている。また、突出部１５４の対向する両側面には、溝１５４ｂが形成されている。
【００３１】
図３及び図４に示すように、調整パイプ１２の一端側には、第１の中間ブロック１５ａのネジ付バー１５２が挿入されている。調整パイプ１２の一端には、第１のナット１２１が固着されており、第１の中間ブロック１５ａのネジ付バー１５２と第１のナット１２１とは螺合している。同様に、調整パイプ１２の他端側には、第２の中間ブロック１５ｂのネジ付バー１５２が挿入されている。調整パイプ１２の他端には、第２のナット１２２が固着されており、第２の中間ブロック１５ｂのネジ付バー１５２と第２のナット１２２とは螺合している。
【００３２】
なお、第１のナット１２１と螺合するネジ付バー１５２と、第２のナット１２２と螺合するネジ付バー１５２とは、ネジの向きが逆になっている。第１のナット１２１と第２のナット１２２とに形成されるネジの向きも逆になっている。このために、調整パイプ１２を回転させた場合、第１の中間ブロック１５ａと第２の中間ブロック１５ｂとは逆向きに移動する。なお、第１のナット１２１及び第２のナット１２２を含む調整パイプ１２は、ネジ付バー１５２と組になって、本発明のネジ機構を構成している。
【００３３】
図３及び図４に示すように、ガイドパイプ１３の一端側には、第１の突っ張りブロック１４ａに設けられる第１の突出バー１４４の先端側が挿通されている。当該第１の突出バー１４４は、第１の中間ブロック１５ａの第１の円筒バー１５３ａ及び本体部１５１を貫通している。また、ガイドパイプ１３の他端側には、第２の突っ張りブロック１４ｂに設けられる第１の突出バー１４４の先端側が挿通されている。当該第１の突出バー１４４は、第２の中間ブロック１５ｂの第１の円筒バー１５３ａ及び本体部１５１を貫通している。
【００３４】
なお、第１の突っ張りブロック１４ａに設けられる第２の突出バー１４５は、第１の中間ブロック１５ａに設けられる第２の円筒バー１５３ｂに挿通されている。また、第２の突っ張りブロック１４ｂに設けられる第２の突出バー１４５は、第２の中間ブロック１５ｂに設けられる第２の円筒バー１５３ｂに挿通されている。
【００３５】
第１の突っ張りブロック１４ａと第１の中間ブロック１５ａとの間、及び、第２の突っ張りブロック１４ｂと第２の中間ブロック１５ｂとの間には、それぞれ、コイルバネ１６が配置されている。コイルバネ１６は、２つの突っ張りブロック１４ａ、１４ｂの各第１の突出バー１４４及び各第２の突出バー１４５に遊嵌されており、入浴補助具１には、４つのコイルバネ１６が備えられている。なお、コイルバネ１６は、本発明の弾性部材の一例である。
【００３６】
一対の第２の中間ブロック１５ａ、１５ｂのそれぞれには、吸盤１７が係合している。図８は、本発明の実施形態に係る入浴補助具１が備える吸盤１７の構成を示す概略上面図である。図９は、本発明の実施形態に係る入浴補助具１が備える吸盤１７の構成を示す概略側面図である。
【００３７】
図８及び図９に示すように、吸盤１７は、軸部１７１と、軸部１７１の一端（下端）に設けられる吸着部１７２と、を備えている。吸盤１７は、本発明の吸着部材の一例である。略円筒形状に設けられる軸部１７１の側面には、軸部１７１に対して互いに対称配置される一対の突起部１７１ａ、１７１ｂが設けられている。一対の突起部１７１ａ、１７１ｂは、それぞれ、中間ブロック１５ａ、１５ｂの突出部１５４に設けられる溝１５４ｂに先端側が挿入されている。また、この状態において、軸部１７１の上端側は、中間ブロック１５ａ、１５ｂの突出部１５４に設けられる開口１５４ａを介して、突片１４２（突っ張りブロック１４ａ、１４ｂに設けられる）の貫通穴１４２ａに挿通される。
【００３８】
なお、吸盤１７を構成する軸部１７１と吸着部１７２とは、同一の材質で設けられてもよいが、別々の材質で設けられてもよい。突起部１７１ａ、１７１ｂを含む軸部１７１は、特に硬質の材料で設けられるのが好ましい。
【００３９】
次に、以上のように構成される入浴補助具１の動作について説明する。まず、入浴補助具１は、例えば図１に示すように、浴槽２の長手方向の一端部側の縁上面２ａに載置される。この際、入浴補助具１は、浴槽２の縁に沿うように載置される。次に、一対の中間ブロック１５ａ、１５ｂが互いに離れる（浴槽２の外側に向かう）ように、調整パイプ１２が回される。これにより、一対の中間ブロック１５ａ、１５ｂが、それぞれ、突出バー１４４、１４５にガイドされながら移動する。
【００４０】
一対の中間ブロック１５ａ、１５が移動を開始すると、コイルバネ１６を介して中間ブロック１５ａ、１５ｂに連結される一対の突っ張りブロック１４ａ、１４ｂも、互いに離れる方向（浴槽２の外側に向かう方向）に移動を開始する。一対の突っ張りブロック１４ａ、１４ｂの移動によって、一対の突っ張りブロック１４ａ、１４ｂに取り付けられる一対のカバー部材１１ａ、１１ｂも移動する。
【００４１】
調整パイプ１２の回転を続けると、一対の突っ張りブロック１４ａ、１４ｂに設けられる各押付プレート１４３が浴槽２の内側壁に当接する。押付プレート１４３が浴槽２の内側壁に当接すると、一対の突っ張りブロック１４ａ、１４ｂ（一対のカバー部材１１ａ、１１ｂも）の移動は止まる。この状態で、更に調整パイプ１２の回転を続けると、各中間ブロック１５ａ、１５ｂは、コイルバネ１６を圧縮しながら、更に浴槽２の外側に向けて移動する。
【００４２】
このコイルバネ１６の圧縮量の調整により、押付プレート１４３が浴槽２の内側壁を押し付ける力を調整できる。換言すると、コイルバネ１６の圧縮量の調整により、入浴補助具１を浴槽２の互いに対向する内側壁間に突っ張る力を調整できる。ナット１２１、１２２を含む調整パイプ１２、中間ブロック１５ａ、１５ｂ、及び、コイルバネ１６は、本発明の調整部を構成する。
【００４３】
入浴補助具１は、以上のように突っ張り力によって浴槽２に固定されるが、当該突っ張り力を得るための操作に連動して動作を行う吸盤１７によっても固定されるようになっている。図１０を参照しながら、吸盤１７の動作について説明する。なお、図１０は、本発明の実施形態に係る入浴補助具１が備える吸盤１７の動作を説明するための模式図である。入浴補助具１は、第１の中間ブロック１５ａと第２の中間ブロック１５ｂとに係合する２つの吸盤１７を備えるが、その動作が同様であるために、第１の中間ブロック１５ａと係合する吸盤１７を例に、その動作を説明する。
【００４４】
図１０（ａ）は、上述したコイルバネ１６の圧縮が開始される直前（突っ張り開始直前）の状態を示す。この時点では、吸盤１７は浴槽２の縁上面２ａに吸着していない（縁上面２ａから離れている）。軸部１７１が第１の突っ張りブロック１４ａの突片１４２に設けられる貫通穴１４２ａに挿通されている。このために、図１０（ａ）に示す状態から第１の中間ブロック１５ａが浴槽２の外側に向けて（Ｘ方向に向けて）移動しても、吸盤１７は第１の中間ブロック１５ａと共にＸ方向に動くことはない。
【００４５】
突っ張り力を得るための調整パイプ１２の回転により、第１の中間ブロック１５ａがコイルバネ１６を圧縮しながらＸ方向に移動する。これに伴い、吸盤１７の突起部１７１ａが、第１の中間ブロック１５ａに設けられる溝１５４ｂに沿って相対移動を開始する。溝１５４ｂは、平面視略Ｖ字状に形成されている。このために、図１０（ａ）の状態から第１の中間ブロック１５ａがＸ方向にある程度移動した時点で、吸盤１７は下方に移動を開始する。そして、吸盤１７が最も下方に移動した時点（図１０（ｂ）に示す状態）において、吸盤１７は浴槽２の縁上面２ａに押し付けられた状態になる。
【００４６】
吸盤１７が最も下方に移動した時点から更に第１の中間ブロック１５ａがＸ方向に移動すると、今度は、溝１５４ｂの形状に由来して、吸盤１７は引き上げられる。これにより、吸盤１７の吸着部１７２と浴槽２の縁上面２ａとの間に気圧の低い（理想的には真空状態）空間が得られ、吸盤１７は浴槽２の縁上面２ａに確実に吸着する（図１０（ｃ）の状態）。なお、吸盤１７を引き上げる量は適宜調整してよく、本実施形態の構成に限定されるものではない。吸盤１７が浴槽２の縁上面２ａに吸着すると、突っ張りブロック１４ａ、１４ｂ及び中間ブロック１５ａ、１５ｂが浴槽２の縁から浮き上ることを防止でき、浴槽補助具１は安全に利用できる。
【００４７】
なお、本実施形態では、適正な突っ張り力が得られる位置まで中間ブロック１５ａ、１５ｂが移動した時点で、吸盤１７の確実な固定が得られるようになっている。適正な突っ張り力が得られた否かは、カバー部材１１ａ、１１ｂに設けられる窓部１１１から中間ブロック１５ａ、１５ｂの位置を確認することによって判断できる。窓部１１１には、透明部材が嵌め込まれてよい。また、カバー部材１１ａ、１１ｂ及び／又は中間ブロック１５ａ、１５ｂには、窓部１１１から確認される中間ブロック１５ａ、１５ｂの位置に関する判断を行うための表示が適宜設けられてよい。また、本実施形態においては、一対のカバー部材１１ａ、１１ｂのいずれにも窓部１１１が設けられているが、窓部１１１は、いずれか一方のカバー部材に設けられる構成であっても構わない。
【００４８】
本実施形態の入浴補助具１は、図１に示すように浴槽２に取り付けられて、座面として利用されてよい。また、図１１に示すように、カバー部材１１ａ、１１ｂに手すり２０（入浴補助部の一例）が取り付けられるようにしてもよい。手すり２０は、１つだけ取り付けられるようにしてもよいし、複数取り付けられるようにしてもよい。手すり２０が取り付けられると、入浴者が浴槽２に出入りする際の補助機能が向上する。入浴補助具１は、突っ張り力だけでなく、吸盤１７を使って浴槽２の縁上面２ａに固定されているために、手すり２０として利用しても浴槽２から外れる可能性が低く、安全に利用できる。
【００４９】
なお、手すり２０は、図１２に示すように、カバー部材１１ａ、１１ｂに設けられる取付穴１１２を利用してボルト（不図示）で固定されるようにしてもよい。そして、取付穴１１２は、手すり２０が取り付けられない場合にはキャップ２１によって隠されるようにしてよい。また、キャップ２０は、手すり２０がカバー部材１１ａ、１１ｂに取り付けられた場合に、手すり２０を固定するためのボルトを隠すために利用されてもよい。
【００５０】
また、入浴補助具１は、例えば図１３に示すように、ボード部材３０（例えば平面視略矩形状に設けられる）をカバー部材１１ａ、１１ｂに被せるように取り付けて使用してもよい。ボード部材３０（入浴補助部の一例）には、少なくとも一つの手すり２０が取り付けられるようにしてよい。手すり２０は、図１２に示す方式と同様の方式で取り付けられてよい。ボード部材３０を取り付けて使用することにより、入浴者は、一旦ボード部材３０上に座り、臀部をずらしながら徐々に前方に前進して浴槽２内の湯に浸かるといったことができる。そして、このような動作が行われる場合でも、浴槽２の縁上面２ａに吸着する吸盤１７を設けた効果によってボード部材３０が浮き上ることを防止でき、入浴者は安全に入浴することができる。
【００５１】
なお、ボード部材３０は、図１４に示すように、不図示の蝶番等の連結部材を利用することによって、カバー部材１１ａ、１１ｂ等に跳ね上げ可能に取り付けられてよい。このようにすれば、ボード部材３０を取り付けた状態でも、入浴補助具１の固定状態を簡単確認できる等の利点がある。
【００５２】
以上に示した実施形態は、本発明の例示にすぎない。以上に示した実施形態の構成は、本発明の技術的思想を超えない範囲で適宜変更されて構わない。
【００５３】
例えば、以上に示した実施形態では、中間ブロック１５ａ、１５ｂの動きに連動して吸盤１７を浴槽２の縁上面２ａに吸着させるにあたって、吸盤１７を浴槽２の縁上面２ａに押し付けた後に、引っ張り上げる構成とした。この構成は一例にすぎず、例えば吸着部１７２が弾性の高い材料で形成される場合には、吸盤１７を浴槽２の縁上面２ａに一時的に押し付けるだけの構成とし、引っ張り上げる構成は省略しても構わない。
【００５４】
また、以上に示した実施形態では、突っ張りブロック１４ａ、１４ｂ及び中間ブロック１５ａ、１５ｂを移動させるために、ネジ機構を利用した。しかし、これは一例にすぎず、突っ張りブロック１４ａ、１４ｂ及び中間ブロック１５ａ、１５ｂを移動させる手段は他の機構を利用する構成であっても構わない。他の機構として、例えば圧力や磁力を利用する機構等が挙げられる。
【００５５】
また、以上に示した実施形態では、吸盤１７は浴槽２の縁上面２ａに吸着する構成とした。しかし、この構成は一例にすぎない。吸盤１７は、一対の突っ張りブロック１４ａ、１４ｂの突っ張り方向に平行な軸まわりに作用するモーメント力に抗する力を発揮するように浴槽２に吸着されればよく、浴槽２の縁上面２ａ以外の面に吸着されてもよい。
【００５６】
また、以上に示した実施形態においては、第１の突っ張りブロック１４ａと第２の突っ張りブロック１４ｂとがいずれも移動可能である構成とした。しかし、この構成は一例にすぎない。２つの突っ張りブロック１４ａ、１４ｂのうち、いずれか一方だけが移動可能である構成としてもよい。この場合、例えば、上述の２つの中間ブロック１５ａ、１５ｂのうち、いずれか一方だけが入浴補助具に備えられる構造となるように適宜改良すればよい。
【符号の説明】
【００５７】
１  入浴補助具
２  浴槽
２ａ  浴槽の縁上面
１１ａ、１１ｂ  カバー部材
１２  調整パイプ（ネジ機構の一部、調整部の一部）
１４ａ、１４ｂ  突っ張りブロック（突っ張り部材）
１５ａ、１５ｂ  中間ブロック（可動部材、調整部の一部）
１６  コイルバネ（弾性部材、調整部の一部）
１７  吸盤（吸着部材）
２０  手すり
３０  ボード部材
１１１  窓部
１２１  第１のナット（ネジ機構の一部、調整部の一部）
１２２  第２のナット（ネジ機構の一部、調整部の一部）
１４３  押付プレート（押付部）
１５２  ネジ付バー（ネジ機構の一部）
１５４ｂ  溝（溝部）
１７１ａ、１７１ｂ  突起部
【図１】
2016087189.tif 000003
【図２】
2016087189.tif 000004
【図３】
2016087189.tif 000005
【図４】
2016087189.tif 000006
【図５】
2016087189.tif 000007
【図６】
2016087189.tif 000008
【図７】
2016087189.tif 000009
【図８】
2016087189.tif 000010
【図９】
2016087189.tif 000011
【図１０】
2016087189.tif 000012
【図１１】
2016087189.tif 000013
【図１２】
2016087189.tif 000014
【図１３】
2016087189.tif 000015
【図１４】
2016087189.tif 000016